(57)【要約】【課題】漏水を防止できる冷水器を備えた冷蔵庫を提供する。【解決手段】貯蔵室３内に配される水タンク１３に連結した取水口３０ａを上部に配した取水部１１を貯蔵室３の扉３ａの前面に凹設し、取水口３０ａから水タンク１８内の水を取水する冷水器１０を備えた冷蔵庫１において、取水部１１の内壁を形成して底部に後方に凹む凹部２２ｃを有したフレーム２２と、フレーム２２に係合して前方から着脱自在に配されるとともに取水口３０ａから滴下する水滴を回収する水受皿４０とを設け、凹部２２ｃの上面２２ｄの前端を水受皿４０の背壁２０ｂよりも前方に配した。【選択図】図５
2011012832.tif 000002
【特許請求の範囲】
【請求項１】
貯蔵室内に配される水タンクに連結した取水口を上部に配した取水部を前記貯蔵室の扉の前面に凹設し、前記取水口から前記水タンク内の水を取水する冷水器を備えた冷蔵庫において、前記取水部の内壁を形成して底部に後方に凹む凹部を有したフレームと、前記フレームに係合して前方から着脱自在に配されるとともに前記取水口から滴下する水滴を回収する水受皿とを設け、前記凹部の上面前端が前記水受皿の背壁よりも前方に配されることを特徴とする冷蔵庫。
【請求項２】
前記フレームは下端で前方に屈曲して前記取水部の底面を形成する底面部を有し、前記底面部に係合する係合部を前記水受皿の前部に設けたことを特徴とする請求項１に記載の冷蔵庫。
【請求項３】
前記取水部の底面と前記水受皿との間に弾性体から成るスペーサを配したことを特徴とする請求項１または請求項２に記載の冷蔵庫。
【発明の詳細な説明】
【技術分野】
【０００１】
本発明は、冷水器を備えた冷蔵庫に関する。
【背景技術】
【０００２】
従来の冷蔵庫は特許文献１に開示されている。この冷蔵庫は貯蔵室を開閉する扉の前面から取水する冷水器を備えている。冷水器は扉の背面に配される水タンクと扉の前面に凹設される取水部とを有し、取水部の上部に設けられる取水口が扉を貫通する給水パイプにより水タンクに連結されている。給水パイプには止水弁が設けられ、取水部の背面には止水弁を開閉する開閉部が設けられる。また、取水部の底部には取水口から滴下する水を回収する水受部が設置される。
【０００３】
水タンクに注水して扉を閉じると水タンク内の水が冷却される。使用者が取水口の下方にコップ等の容器を設置して開閉部を押圧すると止水弁が開かれる。これにより、取水口を介して水タンク内の冷水を容器内に取水することができる。そして、容器を開閉部から離すと止水弁が閉じられる。容器を取水部から離した際に取水口から滴下する水は水受部で貯水される。
【先行技術文献】
【特許文献】
【０００４】
【特許文献１】特開２００７−１４７０９１号公報（第４頁−第８頁、第２図）
【発明の概要】
【発明が解決しようとする課題】
【０００５】
しかしながら、上記従来の冷蔵庫によると、水受部が取水部の底面に設置され、水受部に滴下して跳ね返った水滴や扉の開閉により水受部から飛び出した水滴等が取水部の壁面と水受部との間に侵入する。取水部の壁面と水受部との間に侵入した水は水受部の下面を伝い、扉の前面に漏水する問題があった。
【０００６】
本発明は、漏水を防止できる冷水器を備えた冷蔵庫を提供することを目的とする。
【課題を解決するための手段】
【０００７】
上記目的を達成するために本発明は、貯蔵室内に配される水タンクに連結した取水口を上部に配した取水部を前記貯蔵室の扉の前面に凹設し、前記取水口から前記水タンク内の水を取水する冷水器を備えた冷蔵庫において、前記取水部の内壁を形成して底部に後方に凹む凹部を有したフレームと、前記フレームに係合して前方から着脱自在に配されるとともに前記取水口から滴下する水滴を回収する水受皿とを設け、前記凹部の上面前端が前記水受皿の背壁よりも前方に配されることを特徴としている。
【０００８】
この構成によると、水タンク内に注水して扉が閉じられると水タンク内の水が冷却される。取水部にコップ等の容器を配して所定の操作により開かれた取水口から冷水が取水される。容器を取水部から離した際に取水口から滴下する水滴は取水部の底部に配された水受皿に回収され、水受皿を前方から脱着して排水される。水受皿は取水部の内壁を形成するフレームに設けた凹部に挿入され、凹部の上面前端が水受皿の背壁よりも前方に配されるためフレームと水受皿との隙間への水滴の侵入が防止される。
【０００９】
また本発明は、上記構成の冷蔵庫において、前記フレームは下端で前方に屈曲して前記取水部の底面を形成する底面部を有し、前記底面部に係合する係合部を前記水受皿の前部に設けたことを特徴としている。この構成によると、フレームの底面部に水受皿の前部に設けた係合部が係合し、水受皿の後部及び前部がフレームに保持される。
【００１０】
また本発明は、上記構成の冷蔵庫において、前記取水部の底面と前記水受皿との間に弾性体から成るスペーサを配したことを特徴としている。この構成によると、弾性体から成るスペーサによって水受皿のがたつきが防止される。
【発明の効果】
【００１１】
本発明によると、冷水器の取水部の内壁を形成するフレームに凹部を設け、水受皿を凹部に係合して前方から着脱自在に設けたので、容易に水受皿を脱着して水受皿やフレームの清掃を行うことができる。また、凹部の上面前端が水受皿の背壁よりも前方に配されるため、フレームと水受皿との隙間への浸水を防止することができる。従って、扉前面の漏水を防止することができる。
【図面の簡単な説明】
【００１２】
【図１】本発明の実施形態の冷蔵庫を示す正面図
【図２】本発明の実施形態の冷蔵庫の扉を開いた状態を示す斜視図
【図３】本発明の実施形態の冷蔵庫の扉の要部を示す側面断面図
【図４】本発明の実施形態の冷蔵庫の冷水器の取水部を示す側面断面図
【図５】本発明の実施形態の冷蔵庫の冷水器の取水部の底部を示す側面断面図
【図６】本発明の実施形態の冷蔵庫の冷水器の水受皿の脱着状態を示す側面断面図
【図７】本発明の実施形態の冷蔵庫の冷水器の取水部の取水時の状態を示す側面断面図
【発明を実施するための形態】
【００１３】
以下に本発明の実施形態を図面を参照して説明する。図１は一実施形態の冷蔵庫を示す正面図である。冷蔵庫１は上部に冷凍室２が配され、冷凍室２の下方に冷蔵室３が配される。冷凍室２及び冷蔵室３の前面はそれぞれ扉２ａ、３ａにより開閉される。冷蔵室３の扉３ａの前面には冷水器１０の取水部１１が凹設される。
【００１４】
図２は冷蔵庫１の扉２ａ、３ａを開いた状態を示す斜視図である。冷蔵室３の扉３ａの背面側には複数のドアポケット４が設けられ、上段には冷水器１０の水タンク１３が配される。
【００１５】
水タンク１３は上面を開口して水を貯水する貯水部１４と貯水部１４の上面を覆う着脱自在の蓋部１５とを有している。蓋部１５を脱着して貯水部１４の清掃を行うことができる。蓋部１５には貯水部１４内に注水する注水口（不図示）が開口し、注水口を開閉する開閉部材１８が取り付けられる。開閉部材１８は扉３ａの幅方向にスライド移動して注水口を開閉する。
【００１６】
図３は扉３ａの要部を示す側面断面図である。扉３ａは前面に配される装飾板３ｂと背面に配される背面板３ｃとの間に発泡断熱材３ｄを充填して形成される。冷水器１０の取水部１１は前面を開口した樹脂成形品の箱状の枠部２１により外枠が形成される。枠部２１を装飾板３ｂに設けた開口に配した状態で発泡断熱材３ｄを充填することにより、枠部２１が固定される。
【００１７】
冷水器１０の水タンク１３の貯水部１４の底面には給水口１４ａが設けられる。取水部１１の上部には取水口３０ａを開口するノズル３０が設けられる。ノズル３０はバルブ保持部２４により保持されるバルブ３２の先端に配され、後述するアーム３５（図４参照）により支持される。バルブ保持部２４は後方に突出して扉３ａを貫通するパイプ部２４ａが設けられる。水タンク１３の給水口１４ａとパイプ部２４ａとが給水パイプ１２により接続され、水タンク１３が取水口３０ａに連結される。
【００１８】
また、扉３ａの背面には給水パイプ１２を覆うパイプカバー１９が設けられる。パイプカバー１９によって給水パイプ１２を隠蔽して冷蔵室３内の美感を向上するとともに、冷蔵室３内から取り出される食品の衝突による給水パイプ１２の脱落を防止する。
【００１９】
図４は冷水器１０の取水部１１の詳細を示す側面断面図である。枠部２１の前面には樹脂成形品から成るフレーム２２が係合爪（不図示）による係合によって固定される。フレーム２２によって取水部１１の背壁１１ｂが形成される。フレーム２２の上部は開口してレバー保持部２３が枠部２１にネジ止めされる。レバー保持部２３は軸部３４ａを上部に有したレバー３４を枢支する。レバー３４は後述するように下方に延びて押圧により回動する。枠部２１及びフレーム２２の左右方向の中央には後方に回動したレバー３４との干渉を回避する凹部２１ｂ、２２ａが設けられる。
【００２０】
また、レバー保持部２３はレバー３４の軸部３４ａの上方でアーム３５を枢支する。アーム３５は後端が下方に屈曲した断面Ｌ字状に形成され、レバー３４の軸部３４ａよりも上部に後端面が当接する。アーム３５の前部は前方が開口する平面視コ字状に形成され、ノズル３０の周面に突設した係合突起（不図示）に係合する。
【００２１】
レバー保持部２３の上部にはバルブ保持部２４が前方からネジ止めされる。バルブ保持部２４の背面のパイプ部２４ａはレバー保持部２３及び枠部２１に設けた挿通孔２３ａ、２１ａに挿通され、前述したように扉３ａを貫通する。バルブ保持部２４の前部は下方に屈曲し、先端の開口面にＯリング２６を介してスリーブ２５が螺設される。
【００２２】
スリーブ２５の下部はバルブ保持部２４の下方で縮径された縮径部２５ａを有し、縮径部２５ａにバルブ３２が挿通される。バルブ３２は放射状のリブ（不図示）によって縮径部２５ａ内でリブ間に軸方向の通路を形成し、上端に拡径した鍔部３２ａが形成される。バルブ３２の上端面とバルブ保持部２４の内面との間には圧縮バネ３３が設けられ、バルブ３２が下方に付勢される。これにより、鍔部３２ａが縮径部２５ａの上端面にＯリング３１を介して当接し、水タンク１３からの水を止水する。
【００２３】
レバー３４の下部を後方に押圧するとレバー３４の上部に当接するアーム３５が図中、反時計回りに回動する。これにより、アーム３５に当接するノズル３０が圧縮バネ３３の付勢力に抗してバルブ３２とともに上方に押し上げられ、水タンク１３からの水がノズル３０の取水口３０ａから流出する。
【００２４】
ノズル３０の取水口３０ａの開口面は後方が下がるように傾斜する。このため、止水時にノズル３０等に残留した水は取水口３０ａの後端から滴下する。また、バルブ保持部２４を前方からネジを外してバルブ３２やノズル３０と一体に取り外すことができる。これにより、バルブ３２とスリーブ２５間のゴミの除去やＯリング２６、３１の交換を行うことができる。
【００２５】
取水部１１の前面上部にはフレーム２２に取り付けられる前面カバー２７が配される。前面カバー２７はバルブ保持部２４やノズル３０等の前面を覆うとともにノズル３０の下方を覆ってこれらを隠蔽し、取水部１１の美感を向上する。また、前面カバー２７の下面には取水口３０ａに対向する開口部２７ａが形成されている。
【００２６】
取水部１１の背壁１１ｂを形成するフレーム２２の背面部分は水平断面が円弧状で下方が前方に傾斜する傾斜面２２ｂを有している。傾斜面２２ｂは取水部１１の底部から上方に延びてノズル３０の近傍まで形成される。枠部２１は傾斜面２２ｂに沿って傾斜して形成される。このため、取水部１１の背面側の発泡断熱材３ｄの厚みを大きくすることができ、扉３ａの背面側の突出量を削減して断熱厚さを確保することができる。
【００２７】
また、傾斜面２２ｂの下端及びレバー３４の下端は取水口３０ａの後端を通る鉛直線Ａよりも後方に配される。これにより、取水口３０ａの後端から滴下する水滴が傾斜面２２ｂやレバー３４で跳ね返って取水部１１よりも前方に飛散することを防止できる。
【００２８】
フレーム２２の底部には水受皿４０が配される。図５は取水部１１の底部の詳細を示す側面断面図である。水受皿４０の前面には使用者が把持する把手部４０ａが形成される。把手部４０ａの下部には後方に延びて上面に突起を有する係合部４０ｃが形成される。水受皿４０の下面にはシリコンゴム等の弾性体から成るスペーサ４１が貼着される。
【００２９】
フレーム２２は傾斜面２２ｂの下端から後方に凹む凹部２２ｃが形成される。凹部２２ｃの上面２２ｄは略水平に延びて形成される。また、フレーム２２は凹部２２ｃの下端から前方に屈曲して取水部１１の底面を形成する底面部２２ｅを有している。底面部２２ｅは扉３ａから突出した下面に溝部２２ｆが設けられる。
【００３０】
水受皿４０は凹部２２ｃ内に挿入して凹部２２ｃの上面２２ｄの前端が水受皿４０の背壁４０ｂよりも前方に配される。水受皿４０の背壁４０ｂはスペーサ４１の弾性力によって凹部２２ｃの上面２２ｄに押圧されて密着する。また、水受皿４０の前部の係合部４０ｃは溝部２２ｆに係合する。これにより、水受皿４０がフレーム２２に装着される。
【００３１】
水受皿４０はスペーサ４１が緩衝材となってがたつきが防止される。また、水受皿４０は係合部４０ｃ及び背壁４０ｂによって前後でフレーム２２に保持されるため、着脱自在の水受皿４０のがたつきをより確実に防止することができる。
【００３２】
図６に示すように、把手部４０ａを把持して前方に引くと、係合部４０ｃが弾性変形して溝部２２ｆとの係合を解除される。これにより、水受皿４０を脱着することができる。
【００３３】
上記構成の冷蔵庫１において、開閉部材１８を開いて注水口から貯水部１４に注水し、開閉部材１８が閉じられる。扉３ａを閉じると貯水部１４内の水が冷却される。図７に示すように使用者が取水部１１内に配したコップ等の容器Ｃによりレバー３４を押圧すると、ノズル３０とともにバルブ３２が上昇する。これにより、ノズル３０の取水口３０ａから容器Ｃに水タンク１３内の冷水Ｗが供給される。
【００３４】
容器Ｃをレバー３４から離すとバルブ３２が下降して止水される。この時、ノズル３０等に残留する水が取水口３０ａから滴下する。取水口３０ａから滴下する水滴は取水部１１の背面の傾斜面２２ｂやレバー３４に衝突せずに水受皿４０に導かれる。
【００３５】
また、水受皿４０で跳ね返った水滴が傾斜面２２ｂに付着すると傾斜面２２ｂ上を流下して水受皿４０に回収される。この時、凹部２２ｃに装着された水受皿４０の背壁４０ｂは傾斜面２２ｂの下端よりも後方に配される。このため、傾斜面２２ｂを流下する水滴はフレーム２２と水受皿４０との隙間への侵入が防止される。また、凹部２２ｃの上面２２ｄが水受皿４０の背壁４０ｂに密着するため、傾斜面２２ｂを流下する水滴を確実に水受皿４０上に導くことができる。水受皿４０に溜まった水は水受皿４０を脱着して排水される。
【００３６】
本実施形態によると、冷水器１０の取水部１１の内壁を形成するフレーム２２に凹部２２ｃを設け、水受皿４０を凹部２２ｃに挿入して前方から着脱自在に設けたので、容易に水受皿４０を脱着して水受皿４０やフレーム２２の清掃を行うことができる。また、凹部２２ｃの上面２２ｄの前端が水受皿４０の背壁４０ｂよりも前方に配されるため、フレーム２２と水受皿４０との隙間への浸水を防止することができる。従って、扉３ａの前面の漏水を防止することができる。
【００３７】
また、フレーム２２の底面部２２ｅに係合する係合部４０ｃを水受皿４０の前部に設けたので、水受皿４０を容易に保持することができる。
【００３８】
また、取水部１１の底面と水受皿４０との間に弾性体から成るスペーサ４１を配したので、水受皿４０はスペーサ４１が緩衝材となってがたつきが防止される。また、スペーサ４１により凹部２２ｃの上面２２ｄが水受皿４０の背壁４０ｂに密着するため、傾斜面２２ｂを流下する水滴を確実に水受皿４０上に導くことができる。加えて、水受皿４０は係合部４０ｃ及び背壁４０ｂによって前後でフレーム２２に保持されるため、着脱自在の水受皿４０のがたつきをより確実に防止することができる。
【００３９】
また、傾斜面２２ｂの下端を取水口３０ａよりも後方に配したので、取水口３０ａから滴下する水滴が傾斜面２２ｂに衝突せずに水受皿４０に導かれる。このため、水滴が傾斜面２２ｂで跳ね返って取水部１１よりも前方へ飛散することを防止でき、床面の浸水を防止することができる。
【００４０】
また、取水口３０ａの開口面を後方が下がるように傾斜したので、取水口３０ａの後端から水滴が滴下する。このため、水受皿４０上に滴下した水滴の反射による取水部１１よりも前方への水滴の飛散を低減することができる。また、水受皿４０の扉３ａの前方への突出量を小さくすることができる。これにより、水受皿４０が使用者の邪魔にならず冷蔵庫１の使用性を向上できるとともに、冷蔵庫１の梱包を容易にすることができる。
【００４１】
尚、水受皿４０の底面を後方が下がるように傾斜するとより望ましい。これにより、水受皿４０上に滴下した水滴を取水部１１の背面に向けて反射させることができ、取水部１１よりも前方への水滴の飛散をより確実に防止することができる。
【産業上の利用可能性】
【００４２】
本発明によると、冷水器を備えた冷蔵庫に利用することができる。
【符号の説明】
【００４３】
１    冷蔵庫
２    冷凍室
２ａ、３ａ  扉
３    冷蔵室
３ｄ  発泡断熱材
１０    冷水器
１１    取水部
１２    給水パイプ
１３    水タンク
１４    貯水部
１５    蓋部
１８    開閉部材
１９    パイプカバー
２１    枠部
２１ｂ、２２ａ、２２ｃ  凹部
２２    フレーム
２２ｂ  傾斜面
２２ｄ  上面
２２ｅ  底面部
２２ｆ  溝部
２３    レバー保持部
２４    バルブ保持部
２５    スリーブ
２６、３１  Ｏリング
２７    前面カバー
３０    ノズル
３０ａ  取水口
３２    バルブ
３３    圧縮バネ
３４    レバー
３５    アーム
４０    水受皿
４０ｃ  係合部
４１    スペーサ
【図１】
2011012832.tif 000003
【図２】
2011012832.tif 000004
【図３】
2011012832.tif 000005
【図４】
2011012832.tif 000006
【図５】
2011012832.tif 000007
【図６】
2011012832.tif 000008
【図７】
2011012832.tif 000009